(57)【特許請求の範囲】
【請求項１】
物品の展示システムに用いられる吊り下げ型展示器具であって、
予め定められた識別情報を含む無線信号を発信する発信部と、
前記吊り下げ型展示器具の本体に対して相対的に移動可能に設けられ、前記吊り下げ型展示器具を吊り下げるための吊り下げ部と、
前記無線信号の発信状態を磁力に応じて切り替えるスイッチと、
前記吊り下げ部の前記本体に対する相対的な位置に応じて前記スイッチに磁力を加える磁石と、
前記吊り下げ部に挿通しつつ前記本体または前記スイッチと前記磁石との間に位置し前記吊り下げ部の前記本体に対する相対的な移動を弾性力により制限するバネとを含み、
前記吊り下げ部は、前記吊り下げ型展示器具が吊り下げ部を介して吊り下げられた状態において前記吊り下げ型展示器具に加わる重力及び前記バネの弾性力により前記吊り下げ部に加わる力によって前記本体に対して相対的に移動することにより前記スイッチに加わる磁力を変化させ、前記吊り下げ型展示器具が吊り下げ部を介して吊り下げられた状態とそれ以外の状態とで前記スイッチの状態を切り替えることを特徴とする吊り下げ型展示器具。
【請求項２】
前記吊り下げ部は、前記磁石と前記スイッチとが対向する方向に、前記本体に対して相対的に移動し、
前記バネは、前記磁石及び前記スイッチの少なくとも一方に対して、前記磁石と前記スイッチとが対向する方向に弾性力を加えることを特徴とする請求項１に記載の吊り下げ型展示器具。
【請求項３】
前記磁石及び前記スイッチは、前記吊り下げ型展示器具が吊り下げられた状態において鉛直方向に対向するように配置され、
前記吊り下げ部は、前記吊り下げ型展示器具に加わる重力によって前記本体に対して相対的に移動することを特徴とする請求項２に記載の吊り下げ型展示器具。
【請求項４】
前記磁石は、前記吊り下げ部に固定され、且つ前記吊り下げ型展示器具が吊り下げられた状態において前記スイッチの鉛直上方に配置され、
前記スイッチは、前記本体に固定されて配置され、
前記バネの弾性力によって前記磁石が前記スイッチに近付けられ、前記本体に働く重力によって前記磁石と前記スイッチとが離間することを特徴とする請求項３に記載の吊り下げ型展示器具。
【請求項５】
前記磁石は、前記吊り下げ部に固定され、且つ前記吊り下げ型展示器具が吊り下げられた状態において前記スイッチの鉛直下方に配置され、
前記スイッチは、前記本体に固定されて配置され、
前記バネの弾性力によって前記磁石が前記スイッチから遠ざけられ、前記本体に働く重力によって前記磁石と前記スイッチとが近付くことを特徴とする請求項３に記載の吊り下げ型展示器具。
【請求項６】
前記スイッチは、前記磁石が所定範囲以内に近づいた場合に前記磁石から加わる磁力によって前記無線信号を発信状態とする事を特徴とする請求項１乃至５いずれか１項に記載の吊り下げ型展示器具。
【請求項７】
前記スイッチは、前記磁石が所定範囲以内に近づいた場合に前記磁石から加わる磁力によって前記無線信号を停止状態とする事を特徴とする請求項１乃至５いずれか１項に記載の吊り下げ型展示器具。
【請求項８】
吊り下げ型展示器具を用いた物品の展示システムであって、
物品を展示するための吊り下げ型展示器具と、
映像を表示するための表示装置と、
前記表示装置による映像表示を制御する情報処理装置とを含み、
前記吊り下げ型展示器具は、
予め定められた識別情報を含む無線信号を発信する発信部と、
前記吊り下げ型展示器具の本体に対して相対的に移動可能に設けられ、前記吊り下げ型展示器具を吊り下げるための吊り下げ部と、
前記無線信号の発信状態を磁力に応じて切り替えるスイッチと、
前記吊り下げ部の前記本体に対する相対的な位置に応じて前記スイッチに磁力を加える磁石と、
前記吊り上げ部に挿通しつつ前記本体または前記スイッチと前記磁石との間に位置し前記吊り下げ部の前記本体に対する相対的な移動を弾性力により制限するバネとを含み、
前記吊り下げ部は、前記吊り下げ型展示器具が吊り下げ部を介して吊り下げられた状態において前記吊り下げ型展示器具に加わる重力及び前記バネの弾性力により前記吊り下げ部に加わる力によって前記本体に対して相対的に移動することにより前記スイッチに加わる磁力を変化させ、前記吊り下げ型展示器具が吊り下げ部を介して吊り下げられた状態とそれ以外の状態とで前記スイッチの状態を切り替え、
前記情報処理装置は、前記発信部によって発信される無線信号に基づいて前記表示装置に表示させる映像を制御することを特徴とする展示システム。
【発明の詳細な説明】
【技術分野】
【０００１】
本発明は、吊り下げ型展示器具及び展示システムに関し、特に、商品が手に取られたことの検知機構に関する。
【背景技術】
【０００２】
衣料品店においては、衣服をハンガーに掛けて陳列することが一般的である。そのような衣料品店において商品を効果的に顧客にアピールするためのシステムとして、商品が掛けられたハンガーが顧客の手に取られたことを検知し、そのハンガーにかけられている衣服を着たモデルの映像を表示装置に表示させるシステムが提案されている（例えば、非特許文献１参照）。
【先行技術文献】
【非特許文献】
【０００３】
【非特許文献１】ｈｔｔｐ：／／ｗｗｗ．ｔｅａｍ−ｌａｂ．ｎｅｔ／ｐｏｒｔｆｏｌｉｏ／ｔｅａｍｌａｂｈａｎｇｅｒ／ｈａｎｇｅｒ．ｈｔｍｌ［平成２４年０１月２６日検索］
【発明の概要】
【発明が解決しようとする課題】
【０００４】
非特許文献１に開示されているような従来のシステムにおいて、ハンガーが顧客の手に取られたことを検知するための機構としては、ハンガーのフックにバネを接続すると共に、バネの伸縮状態に応じて発信状態の切り換わる発信器を設ける態様が用いられている。即ち、ハンガーがハンガーレールに掛けられた状態においてはハンガーの自重及びハンガーに掛けられた商品の重さによってバネが伸びると共に、ハンガーが顧客の手に取られた場合には、バネの弾性力によってバネが縮む。
【０００５】
このように設けられたバネと発信器のスイッチとを連動させることにより、ハンガーがハンガーレールに掛けられた状態と顧客の手に取られた状態とで、発信器の発信状態を切り替えることができ、その発信状態に基づいてハンガーが顧客の手に取られたことを検知することが可能である。
【０００６】
しかしながら、機械的に押下されるスイッチの押下機構は繰り返し使用される度に劣化し、スイッチングの精度が低下する。そして、スイッチングの精度が低下した状態のハンガーでは、上述した発信器の発信状態の切り替えが意図したとおりになされず、動作の不具合となる可能性がある。尚、このような課題は、ハンガーに限らず、吊り下げ型の展示器具と弾性体とを組み合わせることにより、展示器具が顧客の手に取られたことを検知するシステムにおいて同様に課題となり得る。
【０００７】
本発明は、このような課題を解決するためになされたものであり、展示物がユーザの手に取られたことを検知するための機構において、経年劣化による動作の不具合を回避することを目的とする。
【課題を解決するための手段】
【０００８】
上記課題を解決するために、本発明の一態様は、物品の展示システムに用いられる吊り下げ型展示器具であって、予め定められた識別情報を含む無線信号を発信する発信部と、前記吊り下げ型展示器具の本体に対して相対的に移動可能に設けられ、前記吊り下げ型展示器具を吊り下げるための吊り下げ部と、前記無線信号の発信状態を磁力に応じて切り替えるスイッチと、前記吊り下げ部の前記本体に対する相対的な位置に応じて前記スイッチに磁力を加える磁石と、前記吊り下げ部に挿通しつつ前記本体または前記スイッチと前記磁石との間に位置し前記吊り下げ部の前記本体に対する相対的な移動を弾性力により制限するバネとを含み、前記吊り下げ部は、前記吊り下げ型展示器具が吊り下げ部を介して吊り下げられた状態において前記吊り下げ型展示器具に加わる重力及び前記バネの弾性力により前記吊り下げ部に加わる力によって前記本体に対して相対的に移動することにより前記スイッチに加わる磁力を変化させ、前記吊り下げ型展示器具が吊り下げ部を介して吊り下げられた状態とそれ以外の状態とで前記スイッチの状態を切り替えることを特徴とする。
【０００９】
また、本発明の他の態様は、吊り下げ型展示器具を用いた物品の展示システムであって、物品を展示するための吊り下げ型展示器具と、映像を表示するための表示装置と、前記表示装置による映像表示を制御する情報処理装置とを含み、前記吊り下げ型展示器具は、予め定められた識別情報を含む無線信号を発信する発信部と、前記吊り下げ型展示器具の本体に対して相対的に移動可能に設けられ、前記吊り下げ型展示器具を吊り下げるための吊り下げ部と、前記無線信号の発信状態を磁力に応じて切り替えるスイッチと、前記吊り下げ部の前記本体に対する相対的な位置に応じて前記スイッチに磁力を加える磁石と、前記吊り上げ部に挿通しつつ前記本体または前記スイッチと前記磁石との間に位置し前記吊り下げ部の前記本体に対する相対的な移動を弾性力により制限するバネとを含み、前記吊り下げ部は、前記吊り下げ型展示器具が吊り下げ部を介して吊り下げられた状態において前記吊り下げ型展示器具に加わる重力及び前記バネの弾性力により前記吊り下げ部に加わる力によって前記本体に対して相対的に移動することにより前記スイッチに加わる磁力を変化させ、前記吊り下げ型展示器具が吊り下げ部を介して吊り下げられた状態とそれ以外の状態とで前記スイッチの状態を切り替え、前記情報処理装置は、前記発信部によって発信される無線信号に基づいて前記表示装置に表示させる映像を制御することを特徴とする。
【発明の効果】
【００１０】
本発明によれば、展示物がユーザの手に取られたことを検知するための機構において、経年劣化による動作の不具合を回避することができる。
【図面の簡単な説明】
【００１１】
【図１】本発明の実施形態に係るシステムの全体構成を示す図である。
【図２】本発明の実施形態に係る映像制御サーバのハードウェア構成を示す図である。
【図３】本発明の実施形態に係る映像制御サーバの機能構成を示すブロック図である。
【図４】本発明の実施形態に係る映像情報データベースの例を示す図である。
【図５】本発明の実施形態に係る発信器付きハンガーの機構を示す図である。
【図６】本発明の実施形態に係るシステムの動作を示すシーケンス図である。
【図７】本発明の他の実施形態に係る発信器付きハンガーの機構を示す図である。
【図８】本発明に関連する形態に係る展示品持ち上げ検知装置の運用形態を示す図である。
【発明を実施するための形態】
【００１２】
実施の形態１．
以下、図面を参照して、本発明の実施形態を詳細に説明する。本実施形態においては、衣料品店等において商品である衣服を掛けるためのハンガーを吊り下げ型展示器具の例とし、そのような吊り下げ型展示器具を用いた物品の展示システムについて説明する。
【００１３】
図１は、本実施形態に係るシステムの全体構成を示す図である。図１に示すように、本実施形態に係るシステムは映像制御サーバ１、発信器付きハンガー２、ハンガーレール３及びＬＣＤ（Ｌｉｑｕｉｄ  Ｃｒｙｓｔａｌ  Ｄｉｓｐｌａｙ）４を含む。本実施形態に係るシステムにおいては、映像制御サーバ１が、発信器付きハンガー２から発信される無線信号に基づき、ＬＣＤ４における映像の表示を制御する。
【００１４】
発信器付きハンガー２は、ハンガーレール３に掛けられた状態において無線信号を発信しておらず、顧客によってハンガーレール３から取り上げられた状態になると無線信号の発信を開始する。この無線信号には、夫々のハンガーを個別に識別する識別情報が含まれる。発信器付きハンガー２において、ハンガーレール３から取り上げられたことを検知する仕組みが本実施形態に係る要旨である。
【００１５】
映像制御サーバ１は、発信器付きハンガー２から発信される無線信号を受信する機能を有し、受信された無線信号に応じた映像情報を再生してＬＣＤ４に表示させる。ＬＣＤ４は、一般的な表示装置である。本実施形態においては表示装置としてＬＣＤを用いるが、有機ＥＬ（ＥｌｅｃｔｒｏＬｕｍｉｎｅｓｃｅｎｃｅ）ディスプレイ等の他の表示装置であっても良い。
【００１６】
上述したように、本実施形態においては、映像制御サーバ１が発信器付きハンガー２の発信する無線信号を受信する機能を有し、ハンガーレール３は何ら信号処理に関わらない。しかしながら、ハンガーレール３に無線信号の受信機を設け、その受信機と映像制御サーバ１とを有線または無線で接続することによっても同様の機能を実現可能であると共に、無線通信の通信距離を短くすることが可能である。
【００１７】
ここで、本実施形態に係る映像制御サーバ２のハードウェア構成について図２を参照して説明する。図２に示すように、本実施形態に係る映像制御サーバ２は、一般的なサーバやＰＣ（Ｐｅｒｓｏｎａｌ  Ｃｏｍｐｕｔｅｒ）等と同様の構成を含む。即ち、本実施形態に係る映像制御サーバ２は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ストレージ４０及びＩ／Ｆ５０がバス６０を介して接続されている。
【００１８】
ＣＰＵ１０は演算手段であり、映像制御サーバ２全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ストレージ４０は、ＨＤＤ（Ｈａｒｄ  Ｄｉｓｋ  Ｄｒｉｖｅ）、ＮＶＲＡＭ（Ｎｏｎ  Ｖｏｌａｔｉｌｅ  ＲＡＭ）等の情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１９】
Ｉ／Ｆ５０は、バス６０と各種のハードウェアやネットワーク等を接続し制御する。ＬＣＤ４は、Ｉ／Ｆ５０を介して接続されている。その他、Ｉ／Ｆ５０には、発信器付きハンガー２から発信される無線信号を受信するためのアンテナが接続されている。
【００２０】
このようなハードウェア構成において、ＲＯＭ３０やストレージ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る映像制御サーバ２の機能を実現する機能ブロックが構成される。
【００２１】
次に、図３を参照して、本実施形態に係る映像制御サーバ２の機能構成について説明する。図３は、本実施形態に係る映像制御サーバ２の機能構成を示すブロック図である。図３に示すように、本実施形態に係る映像制御サーバ２は、コントローラ１００、及び無線通信アンテナ１１０を含む。
【００２２】
無線通信アンテナ１１０は、発信器付きハンガー１が発信する無線信号を受信するための受信器であり、発信器付きハンガー１から発信された無線信号を受信し、その受信結果に応じた電気信号をコントローラ１００に入力する。発信器付きハンガー１に設けられる発信器及び無線通信アンテナ１１０による通信方式としては、例えばＲＦＩＤ（Ｒａｄｉｏ  Ｆｒｅｑｕｅｎｃｙ  ＩＤｅｎｔｉｆｉｃａｔｉｏｎ）、Ｂｌｕｅｔｏｏｔｈ（登録商標）、無線ＬＡＮ（Ｌｏｃａｌ  Ａｒｅａ  Ｎｅｔｗｏｒｋ）等の無線通信方式が用いられる。尚、上述したように、無線通信アンテナ１１０はハンガーレール３等、映像制御サーバ１の外部に設けられても良い。
【００２３】
コントローラ１００は、ソフトウェアとハードウェアとの組み合わせによって構成され、映像制御サーバ２を制御する制御部として機能する。図３に示すようにコントローラ１００は、無線通信制御部１０１、映像選択部１０２、映像情報記憶部１０３、映像再生部１０４及び表示制御部１０５を含む。
【００２４】
無線通信制御部１０１は、無線通信アンテナ１１０を制御する無線通信制御部であり、発信器付きハンガー２の発信した無線信号を受信することによって無線通信アンテナ１１０から入力された電気信号を情報に変換する。無線通信制御部１０１は、信号を変換することによって生成した情報を映像選択部１０２に入力する。
【００２５】
上述したように、本実施形態に係る発信器付きハンガー２が発信する無線信号には、夫々のハンガーを個別に識別する識別情報が含まれる。従って、無線通信制御部１０１が生成して映像選択部１０２に入力する情報は、発信器付きハンガー２を識別するための識別情報として用いられるハンガーＩＤである。
【００２６】
映像選択部１０２は、無線通信制御部１０１から入力されるハンガーＩＤに基づき、映像情報記憶部１０３に記憶されている映像情報を選択して映像再生部１０４に入力する。映像情報記憶部１０３は、ＬＣＤ４に表示させるための映像情報及び映像情報を管理するための映像情報データベースを記憶している。図４に、本実施形態に係る映像情報データベースの例を示す。本実施形態に係る映像情報は、ＭＰＥＧデータ及びＡＶＩデータ等の動画データや、ＪＰＥＧデータ及びＧＩＦデータ等の画像データである。
【００２７】
図４に示すように、本実施形態に係る映像情報データベースにおいては、“ハンガーＩＤ”、“映像ＩＤ”及び“格納先パス”の情報が互いに関連付けられている。“ハンガーＩＤ”は、発信器付きハンガー２を個別に識別するための識別情報であり、発信器付きハンガー２が発信する無線信号に含まれる情報に対応している。
【００２８】
“映像ＩＤ”は、映像情報記憶部１０３に記憶されている映像情報を個別に識別するための識別情報である。“格納先パス”は、映像情報記憶部１０３において夫々の映像情報が格納されている記憶領域であるファイルパスを示す情報である。夫々の“ハンガーＩＤ”に関連付けられている“映像ＩＤ”及び“格納先パス”に係る映像情報は、夫々の“ハンガーＩＤ”に対応する発信器付きハンガー２に掛けられた衣料品に関する映像の情報であり、例えば、その衣料品を身に付けたモデルの映像等である。映像選択部１０２は、このような映像情報データベースを参照することにより、無線通信制御部１０１から入力されたハンガーＩＤに基づいて映像情報を取得して映像再生部１０４に入力する。
【００２９】
映像再生部１０４は、映像選択部１０２によって選択されて入力された映像情報を再生する機能を有する。即ち、映像再生部１０４は、映像情報がＪＰＥＧデータ及びＧＩＦデータ等の画像データの場合、画像データに基づいて表示情報を生成して表示制御部１０５に入力する。また、映像情報がＭＰＥＧデータ及びＡＶＩデータ等の動画データの場合、時系列に表示情報を生成して表示制御部１０５に入力する。
【００３０】
表示制御部１０５は、ＬＣＤ４の画面表示を制御するための制御部であり、映像再生部１０４から入力される表示情報に基づいてＬＣＤ４を駆動制御することにより、ＬＣＤ４に映像を表示させる。
【００３１】
次に、本実施形態に係る発信器ハンガー２におけるハンガーレール３から取り上げられたことを検知する仕組みについて図５（ａ）、（ｂ）を参照して説明する。図５（ａ）、（ｂ）は、本実施形態に係る発信器付きハンガー２の内部構成を示す図である。図５（ａ）は、発信器付きハンガー２がハンガーレール３に吊り下げられた状態を示す図である。図５（ａ）に示すように、本実施形態に係る発信器付きハンガー２は、発信器に相当する構成として、アンテナ２１、電源２２、磁石２３及びリードスイッチ２４を含む。また、一般的なハンガーに当然設けられる構成としてフック２５を含むと共に、ハンガー本体とフック２５との相対的な移動を制限するための弾性体であるバネ２６を含む。
【００３２】
アンテナ２１は、実際に無線信号を発信するモジュールであり、電源が供給されることにより、予め定められたハンガーＩＤを含む信号を発信する。本実施形態に係るアンテナ２１は記憶媒体を含み、その記憶媒体にハンガーＩＤが格納されている。アンテナ２１は、電源２２及びリードスイッチ２４に接続されている。電源２２は、アンテナ２１に電源を供給するためのモジュールであり、アンテナ２１及びリードスイッチ２４に接続されている。即ち、アンテナ２１及び電源２２が連動して発信部として機能する。
【００３３】
磁石２３及びリードスイッチ２４は、電源２２からアンテナ２１への電源供給状態を切り替えるためのモジュールである。磁石２３は、フック２５に固定されており、フック２５のハンガー本体に対する相対的な移動に伴って移動することにより、リードスイッチ２４２に対して磁力を加える。フック２５の移動に伴う磁石２３の移動方向は、リードスイッチ２４に近づく方向と遠ざかる方向である。そして、磁石２３は、その磁力によってリードスイッチ２４のオン／オフ状態を切り替える。
【００３４】
リードスイッチ２４は、アンテナ２１への電源２２による電力供給状態を切り替えるスイッチングモジュールである。フック２５は、吊り下げ型展示器具である発信器付きハンガー２をハンガーレール３に吊り下げるための吊り下げ部である。
【００３５】
リードスイッチ２４は磁力によってオン／オフ状態が切り替わる磁力スイッチであり、本実施形態においては、磁石２３がフック２５の移動に伴ってリードスイッチ２４に近づいた場合にのみオン状態となって、電源２２の電力をアンテナ２１に供給する。即ち、リードスイッチ２４が、アンテナ２１による無線信号の発信状態を切り替えるためのスイッチとして機能する。
【００３６】
本実施形態において、磁石２３は、フック２５と共に、ハンガー本体に対して相対的に移動可能に設けられていると共に、リードスイッチ２４はハンガー本体に固定配置されている。バネ２６は、弾性力によってハンガー本体とフック２５との相対的な移動を制限する弾性体である。
【００３７】
本実施形態に係るフック２５は、上述したように磁石２３に接続され、図５（ａ）、（ｂ）に示すように、ハンガーの本体に対して相対的に移動可能に設けられており、外部から見ると、フック２５の柄の部分がハンガー本体に収納されたり、ハンガー本体から伸び出てきたりするように見える。
【００３８】
そのため、フック２５を介して発信器付きハンガー２がハンガーレール３に吊り下げられた状態においては、図５（ａ）に示すように、ハンガー本体や内部の発信器及びハンガー本体に掛けられた衣料品の重さによって、弾性体であるバネ２６は収縮し、フック２５はハンガー本体から伸び出た状態となる。この際、磁石２３とリードスイッチ２４とは離間した状態となるように配置されている。
【００３９】
ここで、バネ２６は、基準となる伸縮状態において、フック２５を可能な限りハンガー本体に収納した状態となるように配置されている。換言すると、バネ２６は、フック２５と一体となって移動する磁石２３を、リードスイッチ２４に近付ける方向に弾性力を発揮するように配置されている。そのため、フック２５に何ら力が加えられていない場合、バネ２６の弾性力によってフック２５は最大限ハンガー本体に収納され、磁石２３が図５（ｂ）に示すようにリードスイッチ２４に最大限近付く。これにより、磁石２３が発する磁力によってリードスイッチ２４がオン状態となり、電源２２からアンテナ２１に電力が供給される。
【００４０】
このように、本実施形態に係る発信器付きハンガー２は、ハンガーレール３に吊り下げられた状態においては、重力によって磁石２３とリードスイッチ２４とが離される。その結果、リードスイッチ２４がオフ状態となり、電源２２からアンテナ２１への電源供給がなされずに、アンテナ２１による無線信号の発信がされない。
【００４１】
そして、発信器付きハンガー２がハンガーレール３から顧客の手に取られると、ハンガー本体に加わっていた重力によって磁石２３とリードスイッチ２４とを引き離していた力が解除され、バネ２６の弾性力によって磁石２３とリードスイッチ２４とが近付く。その結果、磁石２３の磁力によってリードスイッチ２４がオン状態となり、電源２２からアンテナ２１に電力が供給されて、アンテナ２１が無線信号を発信する。
【００４２】
このような構成によれば、リードスイッチ２４のオン／オフ状態の切り替えに際して、機械的な接触や押下は発生しないため、機械的なスイッチをオン／オフする場合とは異なり、スイッチの経時劣化が起こらない。従って、発信器付きハンガー２を長年使用し続けたとしても、機械的な構成によるスイッチングの不具合の発生を防ぐことが可能である。
【００４３】
また、本実施形態に係る発信器付きハンガー２によれば、リードスイッチ２４のオン／オフ制御に際して、磁石２３をリードスイッチ２４に完全に接触させる必要がなく、磁石２３の磁力によってリードスイッチ２４がオン状態となる程度に近づけると共に、磁石２３の磁力がリードスイッチ２４をオン状態としない程度に遠ざければ良い。従って、機械的なスイッチングによる場合よりも、ハンガー本体、フック２５、磁石２３及びリードスイッチ２４の組み立てにおける加工精度が低くても好適に動作するため、生産性を高めると共にコストを削減することができる。
【００４４】
次に、本実施形態に係るシステム全体の動作について説明する。図６は、本実施形態に係るシステム全体の動作を示すシーケンス図である。図６に示すように、発信器付きハンガー２がハンガーレール３から顧客の手に取られ、図５（ｂ）に示すようにリードスイッチ２４がオン状態となってパワーオンすると（Ｓ６０１）、アンテナ２１が、ハンガーＩＤを情報として含む無線信号を発信する（Ｓ６０２）。
【００４５】
映像制御サーバ１においては、無線通信アンテナ１１０がアンテナ２１の発信した無線信号を受信し、無線通信制御部１０１が信号を解析してハンガーＩＤを生成し（Ｓ６０３）、映像選択部１０２に入力する。無線通信制御部１０１によってハンガーＩＤが生成されると、そのハンガーＩＤに基づき、映像選択部１０２が映像情報記憶部１０３から映像情報を取得して（Ｓ６０４）、映像再生部１０４に入力する。
【００４６】
映像再生部１０４は、映像選択部１０２から映像情報を取得すると、取得した映像情報をデコードして表示情報を生成し、表示制御部１０５に入力することによって映像を再生する（Ｓ６０５）。これにより、表示制御部１０５によって表示情報がＬＣＤ４に転送され、ＬＣＤ４が映像を表示する（Ｓ６０６）。
【００４７】
図４において説明したように、映像情報データベースにおいては、夫々の“ハンガーＩＤ”と、その“ハンガーＩＤ”によって識別される発信器付きハンガー２に掛けられている衣料品に関する映像が関連付けられている。そのため、Ｓ６０６においては、顧客の手に取られたハンガーに掛けられている衣料品等の映像がＬＣＤ４に表示される。これにより、顧客が興味を持った商品をより効果的に顧客にアピールすることができる。
【００４８】
その後、顧客が発信器付きハンガー２をハンガーレール３に戻す、即ち、発信器付きハンガー２がハンガーレール３に再び吊り下げられることにより、図５（ａ）に示すように磁石２３とリードスイッチ２４とが離間してパワーオフとなり（Ｓ６０７）、アンテナ２１への電源供給が停止されて無線信号の発信が停止する（Ｓ６０８）。すると、無線通信制御部１０１は、無線通信アンテナ１１０から入力される信号を解析することにより（Ｓ６０９）、発信器付きハンガー２からの無線信号の発信が停止したことを検知し、映像選択部１０２に通知する。
【００４９】
無線通信制御部１０１から無線信号が停止したことの通知を受けた映像選択部１０２は、映像再生部１０４に対して映像再生の停止を通知する。これにより、映像再生部１０４が映像情報のデコードを停止することによって再生を停止し（Ｓ６１０）、ＬＣＤ４が映像の表示を停止する（Ｓ６１１）。このような処理により、本実施形態に係るシステムの動作が完了する。
【００５０】
以上説明したように、本実施形態に係るシステムにおいては、ハンガーのような吊り下げ型の商品展示器具によって展示されている商品を効果的に顧客にアピールするためのシステムにおいて、展示物がユーザの手に取られたことを検知する機構の経年劣化による動作の不具合を回避することができる。また、リードスイッチ２４に対して常に通電する必要がなく、消費電力を低減することが可能である。
【００５１】
尚、上記実施形態においては、吊り下げ型の展示器具として衣料品を掛けるハンガーを例として説明したが、吊り下げ型のものであれば衣料品用のものに限らず適用可能である。即ち、図５において説明した通り、磁力によってアンテナ２１からの信号発振状態を切り替えるような構成であれば、上記と同様に適用可能であり、同様の効果を得ることができる。
【００５２】
また、上記実施形態においては、図５（ａ）、（ｂ）において説明したように、フック２５がハンガーレール３に吊り下げられた状態において、磁石２３とリードスイッチ２４とが近付いて電力が供給され、無線信号が発信されることにより映像が表示される場合を例として説明した。しかしながらこれは一例であり、磁力によって信号の発信／停止状態を切り替える方法において、様々な態様が考えられる。図５（ａ）、（ｂ）とは異なる態様について、図７（ａ）、（ｂ）に示す。
【００５３】
図７（ａ）、（ｂ）は、フック２５がハンガーレール３に掛けられた場合において、磁石２３とリードスイッチ２４とが近付きし、アンテナ２１に電力が供給されて無線信号が発信される場合の例を示す図である。この場合、映像制御サーバ１は、無線信号が受信できなくなったハンガーを検知して映像の表示制御を行う。
【００５４】
図７（ａ）は、フック２５がハンガーレール３に掛けられた状態を示す図である。図７（ａ）において、フック２５は、図７（ａ）、（ｂ）に示すような発信器付きハンガー２の状態において、リードスイッチ２４よりも鉛直下側で磁石２３に接続されており、フック２５と共にハンガー本体に対して相対的に移動可能に設けられていると共に、リードスイッチ２４がハンガー本体に固定配置されている。また、リードスイッチ２４には穴が開いており、フック２５の柄はリードスイッチ２４の穴を通っている。更に、図７（ａ）、（ｂ）の場合、バネ２６は、磁石２３とリードスイッチ２４とを遠ざける方向に弾性力を発揮するように配置されている。
【００５５】
図７（ａ）の状態においては、フック２５がハンガーレール３に掛けられることにより、フック２５及びフック２５に接続された磁石２３が、まずハンガーレール３に吊り下げられる。これに対して、磁石２３、リードスイッチ２４には、バネ２６の弾性力によって遠ざけられるように配置されているものの、ハンガー本体の重さ及びハンガーに掛けられた衣料品の重さによって、ハンガー本体に固定された設けられたリードスイッチ２４は鉛直下方に押し下げられ、磁石２３とリードスイッチ２４とが近付いてリードスイッチ２４がオン状態となる。
【００５６】
他方、図７（ｂ）は、発信器付きハンガー２が顧客の手に取られた状態を示す図である。顧客によってハンガー本体が持ち上げられることにより、リードスイッチ２４を下に押し下げていた力が解除され、磁石２３とリードスイッチ２４との間に働いている弾性力によって、両者が引き離される。その結果、リードスイッチ２４には磁石２３の磁力が及ばなくなり、リードスイッチ２４がオフ状態となって無線信号の発信が停止する。
【００５７】
映像制御サーバ１においては、図６において説明した動作とは逆の動作、即ち、夫々のハンガーＩＤを含む無線信号が受信されている間は、映像を表示させず、無線信号を介して受信されなくなったハンガーＩＤに関連付けられている映像情報をＬＣＤ４に表示させる。このような処理のため、映像選択部１０２は、受信されるべきハンガーＩＤのリストの情報を記憶しておく。このような態様によっても、上記と同様の効果を得ることが可能である。
【００５８】
また、図５（ａ）、（ｂ）、図７（ａ）、（ｂ）においては、リードスイッチ２４に磁石２３が近付き、磁石２３の磁力がリードスイッチ２４に加わった場合にリードスイッチ２４がオン状態となる場合を例として説明した。この他、リードスイッチ２４の特性によっては、磁力が及んだ場合にオフ状態となるような態様も可能である。
【００５９】
また、図５（ａ）、（ｂ）に示すような、ハンガー本体がユーザの手に取られた状態において、磁石２３とリードスイッチ２４とが近付く構成において、ハンガー本体がユーザの手に取られた状態においてリードスイッチ２４がオフ状態となり、無線信号が停止するような構成も可能である。その場合、映像制御サーバ１においては、無線信号が受信されている間は映像を表示させず、無線信号を介して受信されなくハンガーＩＤに関連付けられている映像情報をＬＣＤ４４に表示させる。
【００６０】
また、図７（ａ）、（ｂ）に示すようば、ハンガー本体がユーザの手に取られた状態において、磁石２３とリードスイッチ２４とが離れる構成において、ハンガー本体がユーザの手に取られた状態においてリードスイッチ２４がオン状態となり、無線信号が発振されるような構成も可能である。その場合、映像制御サーバ１においては、図６において説明した動作が実行される。
【００６１】
また、上記実施形態においては、リードスイッチ２４のオンとなった場合に、電源２２の電力がアンテナ２１に供給される場合を例として説明した。しかしながら、これは一例であり、例えば、リードスイッチ２４がオンとなった状態において、電源２２からアンテナ２１に電力を供給する線が接地されるような回路構成とすれば、リードスイッチ２４がオンとなった場合に、アンテナ２１への電力供給を停止することが可能である。
【００６２】
関連する形態．
実施の形態１においては、物品の展示態様として、発信器付きハンガー２及びハンガーレール３による吊り下げ型展示器具を用いる場合を例として説明した。この場合、洋服等に限らず、展示対象の物品は、システムの一部であるハンガーに掛けられることが前提となっている。しかしながら、物品の展示態様は様々であり、店舗等のスペースによっては、ハンガーレール３のような展示用の什器を設置するスペースの確保が難しい場合もあり得る。本形態においては、吊り下げ型ではなく、物品を単純に棚などの展示用什器に置く場合のシステムを例として説明する。
【００６３】
本形態に係るシステムも、図１において説明したように、映像制御サーバ１及びＬＣＤ４を用いる。そして、本形態に係るシステムは、発信器付きハンガー２及びハンガーレール３の代わりに、物品搭載用発信器５及び物品載置台６を用いる。図８（ａ）、（ｂ）は、本形態に係る物品搭載用発信器５及び物品載置台６を示す図である。図８（ａ）、（ｂ）においては、靴を展示用の物品の例として説明する。
【００６４】
図８（ａ）は、物品が物品載置台６に置かれた状態を示す図である。図８（ａ）に示すように、本形態に係る物品搭載用発信器５は、展示対象の物品に添付される発信器であり、図８（ａ）、（ｂ）の例においては、展示対象の物品である靴の内部に収容されて用いられる。物品搭載用発信器５は、図８（ａ）に示すように、アンテナ２１、電源２２及びリードスイッチ２４を含む。夫々の構成は、実施の形態１において説明したアンテナ２１、電源２２及びリードスイッチ２４と同一である。
【００６５】
物品載置台６は、図８（ａ）に示すように、展示対象の物品を置くための台であり、内部に磁石２３が含まれている。このような構成により、図８（ａ）に示すように、物品搭載用発信器５が添付された物品が物品載置台６に置かれた状態は、実施の形態１における図５（ａ）の状態に相当し、磁石２３の磁力がリードスイッチ２４に加わり、リードスイッチ２４がオン状態となってアンテナ２１に電力が供給され、アンテナ２１から無線信号が発振される。
【００６６】
他方、図８（ｂ）に示すように、物品がユーザの手に取られて物品載置台６から持ち上げられた場合、リードスイッチ２４が物品載置台６に搭載された磁石２３から離れるため、磁石２３の磁力がリードスイッチ２４に及ばなくなり、リードスイッチ２４がオフ状態となってアンテナ２１への電力供給が停止され、アンテナ２１からの無線信号が停止される。
【００６７】
このような構成において、本形態に係る映像制御サーバ１は、実施の形態１の図７（ａ）、（ｂ）において説明した動作と同様の動作を行う。即ち、本形態に係る映像制御サーバ１は、夫々のハンガーＩＤを含む無線信号が受信されている間は、映像を表示させず、無線信号を介して受信されなくなったハンガーＩＤに関連付けられている映像情報をＬＣＤ４に表示させる。
【００６８】
このような構成により、本形態に係るシステムにおいては、実施の形態１と同様の効果を得ることが可能であるとともに、実施の形態１において説明したような吊り下げ型の展示器具に限らず、様々な展示形態に対応可能な、展示システムを実現することが可能となる。
【符号の説明】
【００６９】
１  映像制御サーバ
２  発信器付きハンガー
３  ハンガーレール
４  ＬＣＤ
５  物品搭載用発信器
６  物品載置台
１０  ＣＰＵ
２０  ＲＡＭ
２１  アンテナ
２２  電源
２３  磁石
２４  リードスイッチ
２５  フック
２６  バネ
３０  ＲＯＭ
４０  ＨＤＤ
５０  Ｉ／Ｆ
６０  バス
１００  コントローラ
１０１  無線通信制御部
１０２  映像選択部
１０３  映像情報記憶部
１０４  映像再生部
１０５  表示制御部
１１０  無線通信アンテナ
１２０  ネットワーク通信Ｉ／Ｆ
１３０  ローカル通信Ｉ／Ｆ
【図１】
0005941536.tif 000002
【図２】
0005941536.tif 000003
【図３】
0005941536.tif 000004
【図４】
0005941536.tif 000005
【図５】
0005941536.tif 000006
【図６】
0005941536.tif 000007
【図７】
0005941536.tif 000008
【図８】
0005941536.tif 000009